(57)【要約】【課題】枠体や戸当り枠を傷付けることなく、戸当り枠を容易に取り外しできる開口部装置を提供すること。【解決手段】建物の開口部に取り付けられる枠体１０と、枠体１０内に納められる網戸３と、を備える開口部装置１であって、網戸３は、枠体１０を構成する縦枠１４に形成された溝１４２ｃ内に収納されて固定される戸当り枠３５を備え、戸当り枠３５は、その延設方向の両端部のうち少なくとも一方に取り付けられ且つその見込面に溝３５２ｄが形成された端部キャップ３５２を備えることを特徴とする。【選択図】図５
2015227567.tif 000002
【特許請求の範囲】
【請求項１】
建物の開口部に取り付けられる枠体と、
前記枠体内に納められる障子と、を備える開口部装置であって、
前記障子は、前記枠体を構成する一の枠材に形成された収納溝内に収納されて固定される戸当り枠を備え、
前記戸当り枠は、その延設方向の両端部のうち少なくとも一方に取り付けられ且つその見込面に溝が形成された端部キャップを備えることを特徴とする開口部装置。
【請求項２】
前記溝は、工具が差し込み可能であることを特徴とする請求項１に記載の開口部装置。
【請求項３】
前記障子は、
前記一の枠材に対向する枠材に形成された収納溝内に収納されて固定される固定框と、
前記戸当り枠と前記固定框の間を見付方向に移動可能な可動框と、
前記固定框と前記可動框との間に配置され、一端が前記固定框に固定されるとともに他端が前記可動框に固定されて前記可動框の移動に伴って伸縮可能な網材と、
一端が前記戸当り枠に固定され、前記可動框から前記固定框まで前記網材を縫って掛け渡されるワイヤと、を備え、
前記端部キャップには、前記ワイヤの一端が挿通されて固定されることを特徴とする請求項２に記載の開口部装置。
【発明の詳細な説明】
【技術分野】
【０００１】
本発明は、開口部装置に関する。より詳しくは、収納式の網戸を備える開口部装置に関する。
【背景技術】
【０００２】
従来、建物の開口部に取り付けられた枠体には、障子の開放時に害虫が屋内に侵入するのを防止するため、網戸が納められている。網戸としては、矩形に框組みされた框体内に矩形の網材を取り付け、これを枠体内に納めて引き戸式としたものが一般的である。
【０００３】
ところが網戸を使用していないときには、網材が露出していない方が意匠性や汚れ防止の観点から好ましいため、近年、網材が伸縮可能な収納式の網戸が多く用いられている。この収納式の網戸は、網材を蛇腹状に折り畳んだりロール状に巻き取ることで、コンパクトに収納可能となっている。
【０００４】
例えば、網戸の戸当り枠を一方の縦枠の凹溝部内に収納するとともに、網戸の固定框に加えて網材及び可動框を他方の縦枠の凹溝部内に収納可能とした縦辷り出し窓が提案されている（例えば、特許文献１参照）。この縦辷り出し窓によれば、網戸の戸当り枠や可動框等が屋内側に露出しないため、意匠性を向上できるとされている。
【先行技術文献】
【特許文献】
【０００５】
【特許文献１】特開２００９−２７０２９６号公報
【発明の概要】
【発明が解決しようとする課題】
【０００６】
しかしながら特許文献１の開口部装置では、戸当り枠が縦枠の凹溝部内に収納されているため、網戸のメンテナンス時に戸当り枠を取り外す際には、戸当り枠と縦枠との隙間に工具を差し込んだりする必要があった。そのため、戸当り枠の取り外しが困難であるうえ、枠体や戸当り枠を傷付けてしまうおそれが高かった。
【０００７】
本発明は上記に鑑みてなされたものであり、その目的は、枠体や戸当り枠を傷付けることなく、戸当り枠を容易に取り外しできる開口部装置を提供することにある。
【課題を解決するための手段】
【０００８】
上記目的を達成するため本発明は、建物の開口部に取り付けられる枠体（例えば、後述の枠体１０）と、前記枠体内に納められる障子（例えば、後述の網戸３）と、を備える開口部装置（例えば、後述の開口部装置１）であって、前記障子は、前記枠体を構成する一の枠材（例えば、後述の縦枠１４）に形成された収納溝（例えば、後述の溝１４２ｃ）内に収納されて固定される戸当り枠（例えば、後述の戸当り枠３５）を備え、前記戸当り枠は、その延設方向の両端部のうち少なくとも一方に取り付けられ且つその見込面に溝（例えば、後述の溝３５２ｄ）が形成された端部キャップ（例えば、後述の端部キャップ３５２）を備えることを特徴とする開口部装置を提供する。
【０００９】
前記溝は、工具が差し込み可能であることが好ましい。
【００１０】
前記障子は、前記一の枠材に対向する枠材に形成された収納溝内に収納されて固定される固定框（例えば、後述の固定框３３）と、前記戸当り枠と前記固定框の間を見付方向に移動可能な可動框（例えば、後述の可動框３４）と、前記固定框と前記可動框との間に配置され、一端が前記固定框に固定されるとともに他端が前記可動框に固定されて前記可動框の移動に伴って伸縮可能な網材（例えば、後述の網材４）と、一端が前記戸当り枠に固定され、前記可動框から前記固定框まで前記網材を縫って掛け渡されるワイヤ（例えば、後述のワイヤ５１，５２，５３）と、を備え、前記端部キャップには、前記ワイヤの一端が挿通されて固定されることが好ましい。
【発明の効果】
【００１１】
本発明によれば、枠体や戸当り枠を傷付けることなく、戸当り枠を容易に取り外しできる開口部装置を提供できる。
【図面の簡単な説明】
【００１２】
【図１】本発明の一実施形態に係る開口部装置を屋内側から見たときの図である。
【図２】上記実施形態に係る開口部装置の縦断面図である。
【図３】上記実施形態に係る開口部装置の横断面図である。
【図４】上記実施形態に係る開口部装置に納められる網戸の分解斜視図である。
【図５】戸当り枠の下端部近傍の拡大斜視図である。
【図６】端部キャップの構成を示す斜視図である。
【図７】戸当り枠及び端部キャップの取り外し方法を説明するための図である。
【発明を実施するための形態】
【００１３】
以下、本発明の一実施形態について、図面を参照しながら詳しく説明する。なお、本明細書において、「見付方向」とは、建物の壁に形成された開口部に納められた窓におけるガラスの面方向を意味し、「見込方向」とは、上記ガラスの厚さ方向（すなわち、奥行き方向）を意味する。
【００１４】
図１は、本実施形態に係る開口部装置１を屋内側から見た姿図である。開口部装置１は、建物の壁に形成された開口部に納められる。開口部装置１は、建物の開口部に取り付けられる枠体１０と、枠体１０に納められる戸体２（図１においては図示しない）と、戸体２よりも屋内側に配置され且つ枠体１０に納められる網戸３と、を備える。
【００１５】
枠体１０は、上枠１１と、下枠１２と、左右の縦枠１３，１４と、により矩形に枠組みされる。なお、図１においては、縦枠１３側が吊元側であり、縦枠１４側が戸先側である。
網戸３は、見付方向に移動可能な可動框３４と、可動框の移動に伴って伸縮可能な網材４と、を有する。網戸３については、後段で詳述する。
【００１６】
図２は、本実施形態に係る開口部装置１の縦断面図である。図２は、開口部装置１を吊元側から見た縦断面図である。開口部装置１は、アルミ等の金属と樹脂とからなる複合型であり、複合型の枠体１０と、枠体１０に開閉可能に納められた複合型の戸体２と、を備える。戸体２は、上框２１と、下框２２と、左右の縦框２３，２４と、により矩形に框組みされた框体２０と、框体２０に嵌め込まれたガラス１００と、を有する。
【００１７】
ガラス１００は、屋内側の板ガラス１０１と、屋外側の板ガラス１０２と、これら２枚の板ガラスで挟持されたスペーサ１０３と、を備える複層ガラスであり、優れた断熱性を有する。
なお、本実施形態に係る開口部装置１は、枠体１０内に納められた戸体２を、吊元側の縦框回りに回転させることで外側に開放可能な縦辷り出し窓である。
【００１８】
上枠１１は、屋外側に配置されたアルミ合金等の金属からなる金属上枠１１１と、その屋内側に配置され且つ塩化ビニル樹脂等の合成樹脂からなる樹脂上枠１１２と、を有する。
金属上枠１１１は、屋外側の外側金属上枠１１１ａと、屋内側の内側金属上枠１１１ｂと、を有する。金属上枠１１１は、外側金属上枠１１１ａ及び内側金属上枠１１１ｂによって挟まれて、これらを連結する樹脂製のブリッジ材１１１ｃを更に有する。また、金属上枠１１１は、屋外側に配置されるパッキン１１１ｄを更に有する。
【００１９】
樹脂上枠１１２は、複数の断面矩形状の空気室１１３ａを形成する格子状部１１２ａと、格子状部１１２ａの上側に突出する複数の突出部１１２ｂと、格子状部１１２ａの下側に位置し且つ網材４の上端をガイドするガイド溝１１２ｃを形成する凹状部１１２ｄと、を有する。ガイド溝１１２ｃの底面には、網戸の上框３１が係止される。
【００２０】
樹脂上枠１１２は、凹状部１１２ｄの屋外側に形成されるリブ１１２ｅと、その上側に間隔を開けて形成されたパッキン１１２ｆと、凹状部１１２ｄの屋外側の下端に配置されるパッキン１１２ｇを更に有する。樹脂上枠１１２の屋外側には、リブ１１２ｅ及びパッキン１１２ｆによって空気層１１３ｂが形成される。
また、金属上枠１１１と樹脂上枠１１２との間には、複数の突出部１１２ｂによって仕切られる複数の空気室１１３ｃが形成される。
【００２１】
上框２１は、屋外側に配置されたアルミ合金等の金属からなる金属上框２１１と、その屋内側に設けられ且つ塩化ビニル樹脂等の合成樹脂からなる樹脂上框２１２と、を有する。
金属上框２１１は、屋外側から鉛直方向に立設する金属上框立設部２１１ａを有する。金属上框２１１は、先端がパッキン１１１ｄに当接する。
樹脂上框２１２は、複数の断面矩形状の空気室２１３ａを形成する格子状部２１２ａを有する。格子状部２１２ａは、屋内側においてパッキン１１２ｇに当接する。
【００２２】
上框２１は、下向きに開口して形成される溝２１ａを有する。溝２１ａは、ガスケット１０ａを介してガラス１００の上端部を挟持する。溝２１ａの内部には、緩衝材１０ｂが配置される。
【００２３】
下枠１２及び下框２２は、上枠１１及び上框２１とそれぞれほぼ同様の構成であるので、対応する符号を付して、説明を省略する。
戸体２は、上側アーム９１及び下側アーム９２によってそれぞれ上枠１１及び下枠１２と連結され、枠体１０内に吊り込まれる。
【００２４】
図２に示すように、開口部装置１は、突出部１１２ｂによって仕切られる空気室１１３ｃ及び突出部１２２ｂによって仕切られる空気室１２３ｃが、金属枠と樹脂枠との間に形成されることで断熱性能が向上する。また、開口部装置１は、パッキン１２２ｆとパッキン１２２ｇにより形成される空気層及び空気層１１３ｂによっても、断熱性能が向上する。
【００２５】
図３は、本実施形態に係る開口部装置１の横断面図である。図３は、開口部装置１を上側から見た横断面図である。
吊元側の縦枠１３は、屋外側に配置されたアルミ合金等の金属からなる金属縦枠１３１と、その屋内側に配置され且つ塩化ビニル樹脂等の合成樹脂からなる樹脂縦枠１３２と、を有する。
【００２６】
樹脂縦枠１３２は、複数の断面矩形状の空気室１３３ａを形成する格子状部１３２ａと、格子状部１３２ａの上側に突出する複数の突出部１３２ｂと、格子状部１３２ａの戸先側に位置し且つ後述する網戸３の固定框３３の納められる溝１３２ｃを形成する凹状部１３２ｄと、を有する。
【００２７】
樹脂縦枠１３２は、凹状部１３２ｄの屋外側に形成されるパッキン１３２ｆと、凹状部１３２ｄの戸先側の先端に配置されるパッキン１３２ｇを更に有する。また、金属縦枠１３１と樹脂縦枠１３２との間には、複数の突出部１３２ｂによって仕切られる複数の空気室１３３ｃが形成される。
【００２８】
吊元側の縦框２３は、屋外側に配置されたアルミ合金等の金属からなる金属縦框２３１と、その屋内側に配置され且つ塩化ビニル樹脂等の合成樹脂からなる樹脂縦框２３２と、を有する。
金属縦框２３１は、屋外側から吊元方向に延出する金属縦框横設部２３１ａを有する。金属縦框２３１は、金属縦框横設部２３１ａの先端に配置され且つ金属縦枠１３１に当接するパッキン２３１ｂを有する。
樹脂縦框２３２には、断面矩形状の空気室２３３ａが形成される。中空部２３２ａは、屋内側においてパッキン１３２ｆ，１３２ｇに当接する。
【００２９】
縦框２３は、戸先側に開口して形成される溝２３ａを有する。溝２３ａは、ガスケット１０ａを介してガラス１００の側端部を挟持する。
【００３０】
戸先側の縦枠１４及び縦框２４は、吊元側の縦枠１３及び縦框２３とそれぞれほぼ同様の構成であるので、対応する符号を付して、説明を省略する。
【００３１】
図３に示すように、開口部装置１は、突出部１３２ｂによって仕切られる空気室１３３ｃ及び突出部１４２ｂによって仕切られる空気室１４３ｃが、金属枠と樹脂枠との間に形成されることで断熱性能が向上する。また、開口部装置１は、パッキン１３２ｆとパッキン１３２ｇとの間に形成される空気層及びパッキン１４２ｆとパッキン１４２ｇとの間に形成される空気層によっても、断熱性能が向上する。
更に、網戸３が閉じられた状態の場合には、網材４自体の断熱性や網材４とガラス１００との間に形成される空気層によって屋内側に冷気が伝わり難くなる。
このように、開口部装置１は、非常に断熱性能が高い。
【００３２】
続いて、網戸３について詳しく説明する。図４は、網戸３の分解斜視図である。
網戸３は、上框３１と、下框３２と、固定框３３と、可動框３４と、戸当り枠３５と、網材４と、ワイヤ５１，５２，５３と、固定側取付板６と、可動側取付板７と、固定調整部材８と、を備える。
【００３３】
上框３１及び下框３２は、それぞれ上枠１１及び下枠１２に固定される塩化ビニル樹脂等の合成樹脂からなる長尺部材である。
【００３４】
戸当り枠３５は、枠体１０を構成する戸先側の縦枠１４に固定される。戸当り枠３５は、塩化ビニル樹脂等の合成樹脂からなる長尺部材である戸当り枠本体３５１と、戸当り枠３５の延設方向の両端部に取り付けられる端部キャップ３５２，３５２と、戸当り枠本体３５１の内部に配置されるマグネット部材３５３と、を備える。
【００３５】
戸当り枠３５は、樹脂縦枠１４２の溝１４２ｃ内に収納される（図３）。これにより、屋内側正面から戸当り枠３５は視認されず、意匠性が向上している。
また、戸当り枠３５は、戸当り枠本体３５１の戸先側に設けられた爪３５１ａ，３５１ａにより樹脂縦枠１４２（縦枠１４）の溝１４２ｃ内に係止されている。これにより、工具で容易に取り外しできるようになっている。
【００３６】
固定框３３は、戸先側の縦枠１４に対向する吊元側の縦枠１３に固定される。固定框３３は、アルミ合金等の金属からなる長尺部材である固定框本体３３１と、固定框３３の延設方向の両端部に取り付けられる端部キャップ３３２，３３２と、備える。
【００３７】
可動框３４は、戸当り枠３５と固定框３３の間を見付方向（左右方向）に移動可能である。可動框３４は、網材４を折りたたんだ時に網材４が収納され且つアルミ合金等の金属からなる断面Ｕ字状の長尺部材である可動框本体３４１と、可動框本体３４１を覆い且つ塩化ビニル樹脂等の合成樹脂からなるカバー部材３４２と、可動框本体３４１とカバー部材３４２との間に配置されるマグネット部材３４３と、可動框３４の延設方向の両端部に取り付けられ且つワイヤ５１，５２，５３を案内する案内部材３４４，３４４と、を備える。可動框本体３４１、カバー部材３４２及び案内部材３４４，３４４は、ビス等の締結部材３４ａにより締結される。
【００３８】
網材４は、固定框３３と可動框３４との間に配置され、一端が固定框３３に固定されるとともに他端が可動框３４に固定されて可動框３４の移動に伴って伸縮可能である。網材４は、蛇腹状（プリーツ状）に成形されることで見付方向に伸縮可能になっている。
網材４は、固定框３３に後述する固定側取付板６を介して取り付けられる。また、網材４は、可動框３４に後述する可動側取付板７を介して取り付けられる。
【００３９】
ワイヤ５１，５２，５３は、一端が戸当り枠３５に固定され、可動框３４から固定框３３まで網材４を縫って掛け渡される。ワイヤ５２，５３は、上側の端部キャップ３５２から上框３１に沿って延び、上側の案内部材３４４によって下方向に案内されてから網材４を水平方向に縫って掛け渡される。一方、ワイヤ５１は、下側の端部キャップ３５２から下框３２に沿って延び、下側の案内部材３４４によって上方向に案内されてから網材４を水平方向に縫って掛け渡される。ワイヤ５２，５３と、ワイヤ５１とは、可動框３４内において高さ方向に重複して配置される。このように、ワイヤ５１，５２，５３が、上下にＺ状に曲がるように案内されて取り付けられることで、網材４を安定して起立させることができる。
【００４０】
固定側取付板６は、固定框３３と網材４の間に固定框３３に沿って延設され、ワイヤ５１，５２，５３が挿通される挿通孔６１を有する。
可動側取付板７は、可動框３４と網材４の間に可動框３４に沿って延設され、ワイヤ５１，５２，５３が挿通される挿通孔７１を有する。挿通孔７１にはガイド部材７ａが嵌め込まれている。
【００４１】
固定調整部材８は、ワイヤ５１，５２，５３の他端が固定されるとともに、前記取付板にその延設方向にスライド可能に取り付けられる。固定調整部材８は、ワイヤ５１，５２，５３の張り具合を調整可能である。固定調整部材８については後段で詳述する。
【００４２】
このような網戸３によれば、可動框３４を戸当り枠３５側に移動させることで網材４を閉鎖し、固定框３３側に移動させることで網材４を可動框３４と固定框３３の間に収納することができる。
【００４３】
以下、戸当り枠３５の端部キャップ３５２について、図５及び図６を参照して説明する。
ここで、図５は、戸当り枠３５の下端部近傍の拡大斜視図である。図６は、端部キャップ３５２の構成を示す斜視図である。
図５に示すように、戸当り枠３５の下端部には、端部キャップ３５２が取り付けられている。なお、戸当り枠３５の上端部にも同様の端部キャップ３５２が設けられているが、以下では、下端部に設けられた端部キャップ３５２についてのみ説明する。
【００４４】
図５に示すように、端部キャップ３５２は、中空形状を有する戸当り枠３５の下端部に嵌合されて取り付けられる。図６に示すように、端部キャップ３５２は、本体部３５２ａと、一対の第１嵌合凸部３５２ｂ，３５２ｂと、第２嵌合凸部３５２ｃと、を備える。この端部キャップ３５２は、樹脂により構成される。
【００４５】
本体部３５２ａは、戸当り枠３５に取り付けられた状態において、外部から視認可能な部分を構成する。この本体部３５２ａは、中空の略直方体形状に形成される。また、本体部の見込面には、見込方向に延びる溝３５２ｄが形成されている。この溝３５２ｄは、マイナスドライバ等の工具の先端部を差し込むことが可能な形状となっている。
一対の第１嵌合凸部３５２ｂ，３５２ｂは、本体部３５２ａの上面の見付方向内側において、互いに所定の間隔を空けて設けられる。これら一対の第１嵌合凸部３５２ｂ，３５２ｂは、上方に突出する四角柱形状に形成される。
第２嵌合凸部３５２ｃは、本体部３５２ａの上面の見付方向外側に形成される。この第２嵌合凸部３５２ｃは、上方に突出する四角柱形状であり、見込方向に所定長さ延びて形成される。
これら一対の第１嵌合凸部３５２ｂ，３５２ｂ及び第２嵌合凸部３５２ｃは、図示しない戸当り枠３５（戸当り枠本体３５１）の下端部内に設けられた嵌合凹部にそれぞれ嵌合される。
【００４６】
また、図６に示すように、端部キャップ３５２の本体部３５２ａは、その上面及び下面に開口３５２ｅ，３５２ｆが形成されている。すなわち、端部キャップの本体部内は、上下に貫通しており、ワイヤ５１の一端部が挿通されている。ワイヤ５１の一端部は、本体部３５２ａの下面に形成された開口３５２ｅから挿入されて、上面に形成された開口３５２ｆ通って挿通される。挿通されたワイヤ５１の一端部には、下面に形成された開口３５２ｅの寸法よりも大きな結び目が形成されており、これにより、ワイヤ５１の一端部は端部キャップ３５２に固定されている。
【００４７】
以上の構成を備える戸当り枠３５及び端部キャップ３５２の取り外し方法について、図７を参照して説明する。
ここで、図７は、戸当り枠３５及び端部キャップ３５２の取り外し方法を説明するための図である。具体的には、図７は、戸当り枠の端部キャップ３５２の溝にマイナスドライバＳの先端部を差し込んだ状態を示す図である。
図７に示すように、また上述したように、戸当り枠３５の端部キャップ３５２の見込面に形成された溝３５２ｄは、マイナスドライバＳの先端部を差し込み可能な形状となっている。そのため、先ず、マイナスドライバＳの先端部を、溝３５２ｄ内に差し込む。そして、この状態で、マイナスドライバＳを手前側に引き出す。すると、樹脂縦枠１４２の溝１４２ｃ内に設けられている図７においては図示しない爪３５１ａ，３５１ａによる戸当り枠の係止が解除される。これにより、端部キャップ３５２及び戸当り枠３５を樹脂縦枠１４２から容易に取り外すことができるようになっている。
【００４８】
本実施形態によれば、以下の効果が奏される。
本実施形態では、蛇腹状（プリーツ状）の網材を備える収納式の網戸３において、その戸当り枠３５を、樹脂縦枠１４２（縦枠１４）の溝１４２ｃ内に収納して固定した。また、樹脂縦枠１４２に収納される戸当り枠３５の延設方向の両端部に、その見込面に溝３５２ｄが形成された端部キャップ３５２を設けた。
これにより、例えばマイナスドライバＳ等の工具の先端部を、端部キャップ３５２の溝３５２ｄに差し込んで手前に引き出すことで、溝１４２ｃ内に収納されていた戸当り枠３５を容易に取り外すことができる。従って本実施形態によれば、戸当り枠３５が樹脂縦枠１４２（縦枠１４）の溝１４２ｃ内に収納されて高い意匠性が得られるうえ、縦枠１４や戸当り枠３５を傷付けることなく、容易に戸当り枠３５を取り外すことができる。
【００４９】
また本実施形態では、端部キャップ３５２の見込面の溝３５２ｄの形状を、工具が差し込み可能な形状とした。これにより、端部キャップ３５２の溝３５２ｄに工具の先端部を容易に差し込むことができ、上述の効果がより確実に奏される。
【００５０】
また本実施形態では、蛇腹状（プリーツ状）の網材４に設けられるワイヤ５１の一端を、端部キャップ３５２に挿通して固定した。これにより、網戸３のメンテナンス時には、端部キャップ３５２及び戸当り枠３５を必ず取り外す必要性が生じるところ、本実施形態によれば、上述の通り工具により容易に端部キャップ３５２及び戸当り枠３５を取り外すことができるため、上述の効果が十分に発揮される。
【００５１】
なお、本発明は上記実施形態に限定されるものではなく、本発明の目的を達成できる範囲内での変形、改良等は本発明に含まれる。
上記実施形態では、本発明に係る網戸３を縦辷り出し窓に適用したが、これに限定されない。例えば、横辷り出し窓や引き違い窓の他、玄関に適用することもできる。
上記実施形態では、戸当り枠３５の延設方向（上下方向）の両端部（上下端部）に、見込面に溝を有する端部キャップ３５２を設けたが、これに限定されない。両端部のいずれか一方のみに設けてもよい。
上記実施形態では、端部キャップ３５２の見込面に形成した溝３５２ｄの形状を、マイナスドライバＳの先端部が差し込み可能な形状としたが、これに限定されない。種々の工具の先端部の形状に応じて、当該先端部を差し込み可能な形状であればよい。
【符号の説明】
【００５２】
１…開口部装置
１０…枠体
１４…縦枠（枠材）
１４２ｃ…溝（収納溝）
３…網戸（障子）
３３…固定框
３４…可動框
３５…戸当り枠
３５２ｄ…溝
３５２…端部キャップ
４…網材
５１，５２，５３…ワイヤ
【図１】
2015227567.tif 000003
【図２】
2015227567.tif 000004
【図３】
2015227567.tif 000005
【図４】
2015227567.tif 000006
【図５】
2015227567.tif 000007
【図６】
2015227567.tif 000008
【図７】
2015227567.tif 000009